(57)【要約】【課題】グリッドを透過した放射線の照射により被写体の放射線画像を検出する放射線画像撮影システムについて、簡易な装置構成により放射線源１０の放射線画像検出器２０の記録面２０ａに対する位置および放射線Ｌ１の照射中心軸Ｌ１ａの放射線画像検出器２０の記録面２０ａに対する角度を求める。【解決手段】グリッド３０に設けた２つのピンホール３１を通過した放射線の照射により放射線画像検出器２０において記録されたピンホール画像３２の中心位置と予め設定された位置のピンホールの中心位置とを通る２本の直線を求め、その２本の直線の交点とピンホール画像３２の中心位置との距離に基づいて放射線源１０の記録面２０ａに対する位置および放射線Ｌ１の照射中心軸Ｌ１ａの記録面２０ａに対する角度を求める。【選択図】　　　　　図１
2004135748.tif 000002
【特許請求の範囲】
【請求項１】
放射線源と、該放射線源から発せられ被写体を透過した放射線の照射により前記被写体の放射線画像を記録する放射線画像検出器とを備え、前記放射線画像検出器の記録面と平行になるように前記放射線源と前記放射線画像検出器との間に設置されたグリッドを透過した前記放射線の照射により前記被写体の放射線画像を記録する放射線画像撮影システムにおいて、
前記放射線源と前記放射線画像検出器との間に設置され、前記放射線源から発せられた放射線に対する透過率が周囲と異なる少なくとも２つの検出部が前記記録面に対して予め設定された位置に設けられた角度位置検出部材と、
該角度位置検出部材における検出部を通過した放射線の照射により前記放射線画像検出器において記録された検出部画像の位置と前記予め設定された検出部の位置とを通る少なくとも２本の直線を求め、
該少なくとも２本の直線の交点と前記検出部の位置または前記検出部画像の位置との距離に基づいて前記放射線源の前記記録面に対する位置および／または前記放射線の照射中心軸の前記記録面に対する角度を求める角度位置算出手段とを有することを特徴とする放射線画像撮影システム。
【請求項２】
前記検出部画像が、前記被写体の放射線画像が記録される画像領域以外の部分の前記放射線画像検出器の記録面に記録されることを特徴とする請求項１記載の放射線画像撮影システム。
【請求項３】
前記角度位置算出手段により算出された前記放射線源の前記記録面に対する位置が、予め設定された前記放射線源の前記記録面に対する位置と異なる場合に、前記放射線線源の位置が前記予め設定された放射線源の記録面に対する位置となるように前記放射線源または前記放射線画像検出器の位置を調整する位置調整手段を有することを特徴とする請求項１または２記載の放射線画像撮影システム。
【請求項４】
前記角度位置算出手段により算出された前記放射線の照射中心軸の前記記録面に対する角度が、略直角でない場合に略直角となるように前記放射線の照射中心軸の前記記録面に対する角度を調整する角度調整手段調整手段を有することを特徴とする請求項１から３いずれか１項記載の放射線画像撮影システム。
【請求項５】
前記角度位置算出手段により算出された前記放射線源の前記記録面に対する位置が、予め設定された前記放射線源の前記記録面に対する位置の許容範囲でない場合、前記放射線源による放射線の照射を禁止する照射禁止手段を有することを特徴とする請求項１から４いずれか１項記載の放射線画像撮影システム。
【請求項６】
前記角度位置算出手段により算出された前記放射線の照射中心軸の前記記録面に対する角度が、予め設定された前記放射線の照射中心軸の前記記録面に対する角度の許容範囲でない場合、前記放射線源による放射線の照射を禁止する照射禁止手段を有することを特徴とする請求項１から５いずれか１項記載の放射線画像撮影システム。
【請求項７】
前記角度位置検出部材に照射される前記放射線の曝射量が、前記被写体の放射線画像を得る際に照射される前記放射線の曝射量の１／５以下であることを特徴とする請求項１から６いずれか１項記載の放射線画像撮影システム。
【請求項８】
放射線源から発せられ被写体を透過し、放射線画像検出器の記録面と平行になるように前記放射線源と前記放射線画像検出器との間に設置されたグリッドを透過した放射線の照射により前記被写体の放射線画像を記録する放射線画像検出器において、
前記放射線源と前記放射線画像検出器との間に設置され、前記放射線源から発せられた放射線に対する透過率が周囲と異なる少なくとも２つの検出部が前記記録面に対して予め設定された位置に設けられた角度位置検出部材と、
該角度位置検出部材における検出部を通過した放射線の照射により前記放射線画像検出器において記録された検出部画像の位置と前記予め設定された検出部の位置とを通る少なくとも２本の直線を求め、
該少なくとも２本の直線の交点と前記検出部の位置または前記検出部画像の位置との距離に基づいて前記放射線源の前記記録面に対する位置および／または前記放射線の照射中心軸の前記記録面に対する角度を求める角度位置算出手段とを有することを特徴とする放射線画像検出器。
【請求項９】
前記検出部画像が、前記被写体の放射線画像が記録される画像領域以外の部分の前記記録面に記録されることを特徴とする請求項８記載の放射線画像検出器。
【請求項１０】
前記角度位置算出手段により算出された前記放射線源の前記記録面に対する位置が、予め設定された前記放射線源の前記記録面に対する位置と異なる場合に、前記放射線線源の位置が前記予め設定された放射線源の記録面に対する位置となるように前記放射線源または前記放射線画像検出器の位置を調整する位置調整手段を有することを特徴とする請求項８または９記載の放射線画像検出器。
【請求項１１】
前記角度位置算出手段により算出された前記放射線の照射中心軸の前記記録面に対する角度が、略直角でない場合に略直角となるように前記放射線の照射中心軸の前記記録面に対する角度を調整する角度調整手段調整手段を有することを特徴とする請求項８から１０いずれか１項記載の放射線画像検出器
【請求項１２】
前記角度位置算出手段により算出された前記放射線画像検出器の記録面に対する前記放射線源の位置が、予め設定された前記放射線源の前記記録面に対する位置の許容範囲でない場合、前記放射線源による放射線の照射を禁止する照射禁止手段を有することを特徴とする請求項８から１１いずれか１項記載の放射線画像検出器。
【請求項１３】
前記角度位置算出手段により算出された前記放射線の照射中心軸の前記記録面に対する角度が、予め設定された前記放射線の照射中心軸の前記記録面に対する角度の許容範囲でない場合、前記放射線源による放射線の照射を禁止する照射禁止手段を有することを特徴とする請求項８から１２いずれか１項記載の放射線画像検出器。
【発明の詳細な説明】
【０００１】
【発明の属する技術分野】
本発明は、放射線源から発せられ被写体を透過した放射線の照射により放射線画像を検出する放射線画像撮影システムおよび放射線画像検出器に関するものであり、特に、グリッドを透過した放射線の照射により被写体の放射線画像を検出する放射線画像撮影システムおよび放射線画像検出器に関するものである。
【０００２】
【従来の技術】
従来より、医療などの分野において、放射線源と、蓄積性蛍光体シートや放射線固体検出器などの放射線画像記録媒体に記録された放射線画像を電気信号として検出する放射線画像検出器とを備えた放射線画像撮影システム（特許文献１、特許文献２参照）が普及している。
【０００３】
また今日では、病院の撮影室に上記のような放射線画像撮影システムを設置して使用することに限らず、たとえば、病院内のＩＣＵ室などにこれらシステムを持ち運んで短時間に多数の画像を撮影したり、あるいは病院外の患者や介護を希望する被介護者のところまでこれらシステムを持ち運んで、その場で放射線画像を撮影することも行なわれるようになってきている。
【０００４】
そして、上記のような放射線画像撮影システムにおいては、被写体により散乱された放射線がシートに照射されないように、所定の細かなピッチで放射線の透過しない鉛などと透過しやすいアルミニウムや木材などとが交互に配置されたグリッドを被写体とシートとの間に放射線画像検出器の記録面と平行に配置して撮影を行うことがある。このグリッドを用いて撮影を行うと被写体により散乱された放射線がシートに照射されにくくなるため、被写体の放射線画像のコントラストを向上させることができる。
【０００５】
【特許文献１】
特開昭５５−１２４２９号公報
【０００６】
【特許文献２】
特開昭５６−１１３９５号公報
【０００７】
【特許文献３】
特開２００２−１４３１３９号公報
【０００８】
【発明が解決しようとする課題】
しかしながら、上記のようなグリッドを利用した放射線画像撮影システムにおいては、たとえば、上記のようにＩＣＵ室で短時間で多くの撮影を行なう場合や病院外に持ち運んで撮影を行う場合には、放射線画像検出器と放射線源から発られる放射線の照射中心軸との角度を垂直に維持することができず撮影ごとに角度が変わったり、また、放射線源の放射線画像検出器に対する位置が適切でなかったりするため、放射線がグリッドに適切な方向から入射せず、偽画像が発生したり、画像再現性が悪くなるという問題を生じていた。特許文献３においては、上記のような問題を解決するために電子式水準器などのように水平度を測定する機器や投影式の角度センサなどにより角度を測定し、上記角度を略直角にする方法が提案されているが、これらの測定器を設ける必要があるためコストアップとなり、また構成も複雑なものとなる。
【０００９】
本発明は、上記のような問題に鑑み、簡易な装置構成により放射線の照射中心軸の放射線画像検出器の記録面に対する傾きを略垂直とし、放射線源の放射線画像検出器に対する位置を適切な位置にすることができる放射線画像撮影システムおよび放射線画像検出器を提供することを目的とするものである。
【００１０】
【課題を解決するための手段】
本発明の放射線画像撮影システムは、放射線源と、放射線源から発せられ被写体を透過した放射線の照射により被写体の放射線画像を記録する放射線画像検出器とを備え、放射線画像検出器の記録面と平行になるように放射線源と放射線画像検出器との間に設置されたグリッドを透過した放射線の照射により被写体の放射線画像を記録する放射線画像撮影システムにおいて、放射線源と放射線画像検出器との間に設置され、放射線源から発せられた放射線に対する透過率が周囲と異なる少なくとも２つの検出部が記録面に対して予め設定された位置に設けられた角度位置検出部材と、角度位置検出部材における検出部を通過した放射線の照射により放射線画像検出器において記録された検出部画像の位置と予め設定された検出部の位置とを通る少なくとも２本の直線を求め、その少なくとも２本の直線の交点と検出部の位置または検出部画像の位置との距離に基づいて放射線源の記録面に対する位置および／または放射線の照射中心軸の記録面に対する角度を求める角度位置算出手段とを有することを特徴とするものである。
【００１１】
ここで、上記「放射線画像検出器」とは、放射線の照射により放射線画像を記録し、該記録された放射線画像を電気信号として検出するものであれば如何なるものでもよく、たとえば、蓄積性蛍光体シートを有し、この蓄積性蛍光体シートに記録された放射線画像を電気信号として検出するものや、放射線固体検出器などを用いることができる。
【００１２】
また、上記「検出部」とは、放射線源から発せられた放射線が該検出部を通過して放射線画像検出器の記録面に照射され、該検出部を通過して記録面に照射された放射線に基づく検出部画像とその周辺画像とが区別できるようなものであれば如何なるものでもよい。検出部としては、たとえば、放射線に対する透過率が周囲より高いピンホールを設けるようにすることができる。また、放射線に対する透過率が周囲よりも低い遮蔽部を設けるようにしてもよい。また、上記ピンホールや上記遮蔽部を組み合せて設けるようにしてもよい。
【００１３】
また、上記「検出部の位置」は、たとえば、検出部における放射線の入射面における中心位置とすることができ、また、上記「検出部画像の位置」は、たとえば、検出部画像の中心位置とすることができるが、検出部における位置と検出部画像における位置とで対応していることがわかる位置であれば如何なる位置でもよい。
【００１４】
また、上記「放射線源の記録面に対する位置」とは、たとえば、放射線源の記録面に対する相対的な位置を意味し、また、上記「予め設定された放射線源の記録面に対する位置」は、たとえば、記録面上の中心位置から垂直方向に所定の距離だけ離れた位置とすることができる。
【００１５】
また、上記放射線画像撮影システムにおいては、検出部画像を、被写体の放射線画像が記録される画像領域以外の部分の放射線画像検出器の記録面に記録されるようにすることができる。
【００１６】
また、角度位置算出手段により算出された放射線源の記録面に対する位置が、予め設定された放射線源の記録面に対する位置と異なる場合に、放射線線源の位置が予め設定された放射線源の記録面に対する位置となるように放射線源または放射線画像検出器の位置を調整する位置調整手段を有するものとすることができる。
【００１７】
また、角度位置算出手段により算出された放射線の照射中心軸の記録面に対する角度が、略直角でない場合に略直角となるように放射線の照射中心軸の記録面に対する角度を調整する角度調整手段調整手段を有するものとすることができる。
【００１８】
また、角度位置算出手段により算出された放射線源の記録面に対する位置が、予め設定された放射線源の記録面に対する位置の許容範囲でない場合、放射線源による放射線の照射を禁止する照射禁止手段を有するものとすることができる。
【００１９】
ここで、上記「予め設定された放射線源の記録面に対する位置の許容範囲」とは、たとえば、適切な放射線画像を記録することができる放射線源の記録面に対する位置の範囲のことをいう。
【００２０】
また、角度位置算出手段により算出された放射線の照射中心軸の記録面に対する角度が、予め設定された放射線の照射中心軸の記録面に対する角度の許容範囲でない場合、放射線源による放射線の照射を禁止する照射禁止手段を有するものとすることができる。
【００２１】
ここで、上記「予め設定された放射線の照射中心軸の記録面に対する角度の許容範囲」とは、たとえば、適切な放射線画像を記録することができる放射線照射中心軸の記録面に対する角度の範囲のことをいう。
【００２２】
また、角度位置検出部材に照射される放射線の曝射量を、被写体の放射線画像を得る際に照射される放射線の曝射量の１／５以下とすることができる。
【００２３】
本発明の放射線画像検出器は、放射線源から発せられ被写体を透過し、放射線画像検出器の記録面と平行になるように放射線源と放射線画像検出器との間に設置されたグリッドを透過した放射線の照射により被写体の放射線画像を記録する放射線画像検出器において、放射線源と放射線画像検出器との間に設置され、放射線源から発せられた放射線に対する透過率が周囲と異なる少なくとも２つの検出部が記録面に対して予め設定された位置に設けられた角度位置検出部材と、角度位置検出部材における検出部を通過した放射線の照射により放射線画像検出器において記録された検出部画像の位置と予め設定された検出部の位置とを通る少なくとも２本の直線を求め、その少なくとも２本の直線の交点と検出部の位置または検出部画像の位置との距離に基づいて放射線源の記録面に対する位置および／または放射線の照射中心軸の記録面に対する角度を求める角度位置算出手段とを有することを特徴とするものである。
【００２４】
また、上記放射線画像検出器においては、検出部画像を、被写体の放射線画像が記録される画像領域以外の部分の記録面に記録されるようにすることができる。
【００２５】
また、角度位置算出手段により算出された放射線源の記録面に対する位置が、予め設定された放射線源の記録面に対する位置と異なる場合に、放射線源の位置が予め設定された放射線源の記録面に対する位置となるように放射線源または放射線画像検出器の位置を調整する位置調整手段を有するものとすることができる。
【００２６】
また、角度位置算出手段により算出された放射線の照射中心軸の記録面に対する角度が、略直角でない場合に略直角となるように放射線の照射中心軸の記録面に対する角度を調整する角度調整手段調整手段を有するものとすることができる。
【００２７】
また、角度位置算出手段により算出された放射線画像検出器の記録面に対する放射線源の位置が、予め設定された放射線源の記録面に対する位置の許容範囲でない場合、放射線源による放射線の照射を禁止する照射禁止手段を有するものとすることができる。
【００２８】
また、角度位置算出手段により算出された放射線の照射中心軸の記録面に対する角度が、予め設定された放射線の照射中心軸の記録面に対する角度の許容範囲でない場合、放射線源による放射線の照射を禁止する照射禁止手段を有するものとすることができる。
【００２９】
【発明の効果】
本発明の放射線画像撮影システムおよび放射線画像検出器によれば、角度位置検出部材における検出部を通過した放射線の照射により放射線画像検出器において記録された検出部画像の位置と予め設定された検出部の位置とを通る少なくとも２本の直線を求め、その少なくとも２本の直線の交点と検出部の位置または検出部画像の位置との距離に基づいて放射線源の記録面に対する位置および／または放射線の照射中心軸の記録面に対する角度を求めるようにしたので、簡易な装置構成により放射線源の記録面に対する位置および／または放射線の照射中心軸の記録面に対する角度を求めることができ、これらに基づいて放射線の照射中心軸の放射線画像検出器の記録面に対する傾きを略垂直とし、放射線源の放射線画像検出器に対する位置を適切な位置にすることにより、適切な放射線画像の記録を行うことが可能である。
【００３０】
また、上記放射線画像撮影システムおよび放射線画像検出器において、上記検出部画像を、被写体の放射線画像が記録される画像領域以外の部分の放射線画像検出器の記録面に記録されるようにした場合には、適切な被写体の放射線画像の記録を妨げることなく、放射線源の記録面に対する位置および／または放射線の照射中心軸の記録面に対する角度を求めることができる。
【００３１】
また、上記放射線画像撮影システムおよび放射線画像検出器において、角度位置算出手段により算出された放射線源の記録面に対する位置が、予め設定された放射線源の記録面に対する位置と異なる場合に、放射線線源の位置が予め設定された放射線源の記録面に対する位置となるように放射線源または放射線画像検出器の位置を調整する位置調整手段を有するものとした場合には、放射線源の記録面に対する位置を自動的に適切なものとすることができる。
【００３２】
また、角度位置算出手段により算出された放射線の照射中心軸の記録面に対する角度が、略直角でない場合に略直角となるように放射線の照射中心軸の記録面に対する角度を調整する角度調整手段調整手段を有するものとした場合には、放射線の照射中心軸の記録面に対する角度を自動的に略直角にすることができる。
【００３３】
また、角度位置算出手段により算出された放射線源の記録面に対する位置が、予め設定された放射線源の記録面に対する位置の許容範囲でない場合、また、角度位置算出手段により算出された放射線の照射中心軸の記録面に対する角度が、予め設定された放射線の照射中心軸の記録面に対する角度の許容範囲でない場合、放射線源による放射線の照射を禁止する照射禁止手段を有するものとした場合には、放射線源の記録面に対する位置や放射線の照射中心軸の記録面に対する角度が適切でない状態での放射線画像撮影を回避することができるので、無駄な放射線画像の撮影を回避し、また、被写体への無駄な放射線の照射も回避することができる。
【００３４】
また、上記放射線画像撮影システムにおいて、角度位置検出部材に照射される放射線の曝射量を、被写体の放射線画像を得る際に照射される放射線の曝射量の１／５以下とした場合には、たとえば、上記検出部画像の記録において被写体に放射線が照射されるような場合には、被写体の被爆量を減少することができる。
【００３５】
【発明の実施の形態】
以下、図面を参照して本発明の実施形態について詳細に説明する。
【００３６】
図１は本発明の放射線画像撮影システムの一実施形態の概略構成図である。
【００３７】
本実施形態の放射線画像撮影システムは、図１に示すように、放射線Ｌ１を発する放射線源１０と、該放射線源１０から発せられ被写体９を透過した放射線Ｌ２を検出することにより放射線画像を記録する放射線画像検出器２０とを備えている。被写体９と放射線画像検出器２０との間には、散乱線防止用のグリッド３０が、該グリッド３０の放射線Ｌ２の入射面３０ａと放射線画像検出器２０の記録面２０ａとが平行になるように設置されている。放射線源１０、放射線画像検出器２０、およびグリッド３０は、持ち運び可能に構成されている。
【００３８】
放射線画像検出装器２０としては、たとえば、カセッテ内に蓄積性蛍光体シートや放射線固体検出器などの放射線画像記録媒体が収容されたものを用いることができるが、蓄積性蛍光体シートの場合には蓄積性蛍光体シートに読取光を照射し、この読取光の照射により発せられた輝尽発光光を受光し、光電変換して画像信号として出力する読取機構を設ける必要がある。
【００３９】
また、本実施形態のグリッド３０は、図１および図２に示すように、放射線を吸収する鉛４ａと、放射線を透過するアルミニウム４ｂとが所定のピッチで交互に配置されているものである。また、本実施形態のグリッド３０は、散乱線防止用として機能するとともに、放射線源１０の放射線画像検出器２０の記録面２０ａに対する位置および放射線の照射中心軸の記録面２０ａに対する角度を検出する角度位置検出部材としても機能するものである。グリッド３０の概略構成図を図２に示す。図２（ａ）に示すように、グリッド３０はその周辺部分に２つのピンホール３１を有している。図２（ｂ）はピンホール３１が位置する部分のグリッド３０および放射線画像検出器２０の断面図である。図２（ｂ）に示すようにピンホール３１は、グリッド３０を貫通する孔であり、孔の径が放射線源側よりも放射線固体検出器側の方が大きくなっている。そして、ピンホール３１を通過した放射線は直接放射線画像検出器２０の所定の位置に照射され、図３に示すようなピンホール画像３２として記録される。なお、図３に示す黒色部分がピンホール画像３２であり、その周辺の斜辺部分はグリッド３０のピンホール３１部分以外の部分を透過した放射線に基づく画像である。図３に示すようにピンホール画像３２の部分の方が濃度が高い画像として記録される。このピンホール画像３２が記録される記録面２０ａの領域は被写体の放射線画像が記録される画像領域Ｒ（図２（ａ）参照）以外の領域である。なお、本実施形態では、グリッド３０に検出部としてピンホール３１を設けるようにしたが、必ずしもピンホール３１である必要はなく、図３に示すピンホール画像３２のように、検出部を通過した放射線により記録される検出部画像とその周辺画像とが区別がつくような構成であれば如何なる構成でもよい。
【００４０】
そして、本実施の形態の放射線画像撮影システムは、上記のようにして記録されたピンホール画像３２の画像データに基づいて、放射線源１０の放射線画像検出器２０の記録面２０ａに対する位置および放射線Ｌ１の照射中心軸Ｌ１ａの放射線画像検出器２０の記録面２０ａに対する角度を算出する角度位置算出手段４０と、該角度位置算出手段４０から出力された角度信号に基づいて放射線Ｌ１の照射中心軸Ｌ１ａの記録面２０ａに対する角度を変更する角度調整手段５０と、放射線源１０を移動させる移動手段６０と、上記算出された角度および位置が適切なものであるか否かを表示する表示手段７０とを備えている。角度位置算出手段４０、角度調整手段５０、移動手段６０、および表示手段７０に関しても可搬型の構成とするのはいうまでもない。
【００４１】
また、図１に示すように、移動手段６０の構成としては、Ｘ方向（記録面２０ａに平行な方向）およびＸ方向に直交する方向であるＹ方向それぞれについて放射線源１０を移動可能であり、また角度調整手段５０の構成としては、Ｘ−Ｙ平面が傾くようにＸ方向およびＹ方向がそれぞれ独立に回転可能な構成のものとする。この限りにおいて、具体的手段として何を使うかは問題としない。
【００４２】
次に、上記一実施形態の放射線画像撮影システムの作用について説明する。
【００４３】
まず、図１に示すように放射線画像検出器２０およびグリッド３０が被写体９の下方に、放射線源１０が被写体９の上方に設置される。このときグリッド３０は放射線画像検出器２０の上側に、放射線画像検出器２０と平行になるように設置される。そして、放射線源１０の放射線画像検出器２０の記録面２０ａに対する位置が適切であるか否か、また、放射線源１０から発せられる放射線の照射中心軸の検出面２０ａに対する傾きが略直角となっているかを確認するために、被写体９の実際の放射線画像の撮影の前に、放射線源１０によるプレ照射が行なわれる。このプレ照射のときに放射線源１０から曝射される放射線の曝射量は、実際の放射線画像の撮影のときの１／５以下である。望ましくは、１／１０以下である。
【００４４】
そして、上記のようにして放射線源１０から曝射された放射線の一部は被写体を透過し、グリッド３０を透過した後、放射線画像検出器２０の記録面２０ａに照射され、被写体の放射線画像が記録される。このとき、グリッド３０の周辺部分には被写体９を透過しなかった放射線が照射され、この放射線はグリッド３０を透過した後、放射線画像検出器２０の周辺部分に照射される。そして、ピンホール３１を通過した放射線の照射により上述したピンホール画像３２が記録される。
【００４５】
放射線画像検出器２０から上記被写体の放射線画像およびピンホール画像３２に基づく画像信号が出力され、この画像信号は角度位置算出手段４０に出力される。そして、角度位置算出手段４０においては、２つのピンホール画像３２に応じた画像信号に基づいて２つのピンホール画像３２の中心位置が求められる。
【００４６】
次に、角度位置算出手段４０において、ピンホール画像３２の中心位置と予め設定されたピンホール３１の中心位置とを通る２本の直線が求められ、この２本の直線の交点が求められる。この交点が放射線源１０の焦点の位置である。なお、ピンホール３１の中心位置は、グリッド３０の厚さとピンホールの位置とから物理的に決定されるものであり、予め角度位置算出手段４０において設定されている。
【００４７】
そして、上記放射線源１０の焦点の位置とピンホール画像３２の中心位置との距離が求められ、求められた２つの距離に基づいて放射線の照射中心軸の記録面２０ａに対する角度が求められる。上記２つの距離に基づく上記角度は予めルックアップテーブルなどで用意しておけばよい。この角度位置算出手段４０により検出された角度信号は角度調整手段５０に入力される。角度調整手段５０は、入力された角度信号に基づいて放射線源１０の傾き角を変えることにより、放射線Ｌ１の照射中心軸Ｌ１ａの放射線画像検出器２０の記録面２０ａに対する傾きが略垂直となるようにする。
【００４８】
さらに、放射線源１０の傾き角を変えると、放射線源１０から出射される放射線Ｌ１の照射中心軸Ｌ１ａと放射線画像検出器２０や被写体９とのＸ方向およびＹ方向の相対位置がズレることになる。したがって、角度位置算出手段４０は、上記のようにして角度調整手段５０により移動された放射線源１０の位置を求め、上記ズレ量を算出して、このズレ量を移動手段６０に出力する。移動手段６０は、このズレ量に基づいて放射線源１０をＸ方向およびＹ方向に移動させて、放射線Ｌ１の照射中心軸Ｌ１ａが放射線画像検出器２０の記録面２０ａの略中心あるいは被写体９の注目部位近傍に位置するようにする。図１中点線で示す放射線源１０はこの状態を示したものである。上記作用は、具体的には、図１に点線で示すように放射線画像検出器２０’が水平方向に対して傾いている場合に、点線で示す放射線源１０’の位置まで放射線源１０を移動させる動作となる。
【００４９】
上記実施形態の放射線画像撮影システムおよび放射線画像検出器によれば、ピンホール３１を通過した放射線の照射により放射線画像検出器２０において記録されたピンホール画像３２の中心位置と予め設定された位置のピンホールの中心位置とを通る２本の直線を求め、その２本の直線の交点とピンホール画像３２の中心位置との距離に基づいて放射線源１０の記録面２０ａに対する位置および放射線Ｌ１の照射中心軸Ｌ１ａの記録面２０ａに対する角度を求めるようにしたので、簡易な装置構成により上記位置および角度を求めることができ、これらに基づいて放射線Ｌ１の照射中心軸Ｌ１ａの放射線画像検出器２０の記録面２０ａに対する傾きを略垂直とし、放射線源１０の放射線画像検出器２０に対する位置を適切な位置にすることにより、適切な放射線画像の記録を行うことができる。
【００５０】
なお、角度位置算出手段４０において、放射線Ｌ１の放射線画像検出器２０の記録面２０ａに対する傾きが略垂直と算出され、Ｘ方向およびＹ方向のズレのみがある場合には、上記放射線源１０の焦点の位置とピンホール画像３２の中心位置との距離に基づいてズレ量のみを算出し、移動手段６０によりＸ−Ｙ方向への移動のみを行うようにする。
【００５１】
一方、角度位置算出手段４０は、角度位置算出手段４０により算出された上記角度または上記ズレ量が予め設定された所定の範囲の値以上である場合には、被写体の放射線画像の撮影には不適切であることを示すメッセージを表示手段７０に表示させる。また、上記のように被写体の撮影に不適切な場合には、警告音を鳴らすようにしてもよい。
【００５２】
また、角度位置算出手段４０により算出された上記角度または上記ズレ量が予め設定された所定の範囲の値以上である場合には、放射線源１０により放射線の照射を禁止する照射禁止手段を設けるようにしてもよい。
【００５３】
また、上記実施形態においては、グリッド３０にピンホール３１を設けるようにしたが、これに限らず、グリッド３０とピンホール３１が設けられた角度位置検出部材とを別々に構成するようにしてもよい。また、ピンホール３１の設ける構成については、上記ピンホール画像３２と同様のものが得られる構成であれば如何なる構成でもよい。
【００５４】
また、上記実施形態においては、角度位置検出部材としてピンホール３１が設けられたグリッド３０を利用するようにしたが、図４に示すように、グリッド３０の表面に放射線を遮蔽するような遮蔽部８０を設けるようにしてもよい。この場合、遮蔽部画像８１は図５に示すように、上記実施形態の場合とは白黒反転したものとなる。また、角度位置検出部材として遮蔽部８０を用いる場合には、上記のようにグリッド３０の表面に設ける構成に限らず、上記遮蔽部画像８１と同様のものが得られる構成であれば如何なる構成でもよい。
【００５５】
また、上記実施形態においては、プレ照射において、被写体およびグリッド３０のピンホール３１が設けられた周辺部分に放射線が照射されるようにしたが、上記周辺部分にのみ放射線を照射するようにしてもよい。また、プレ照射時のみ被写体およびグリッド３０のピンホール３１が設けられた周辺部分に放射線を照射するようにし、被写体の撮影時には被写体のみに放射線を放射するようにしてもよい。
【００５６】
また、上記実施形態では、角度位置算出手段４０において算出された上記角度および上記ズレ量に基づいて放射線源１０を移動させるようにしたが、被写体９が放射線源１０と放射線画像検出器２０との間に配された担架やベッドなどの支持体９１上に載置される場合には、放射線画像検出器２０およびグリッド３０を移動させるような構成としてもよい。
【図面の簡単な説明】
【図１】本発明の放射線画像撮影システムの一実施形態の概略構成図
【図２】図１に示す放射線画像撮影システムにおいて用いられるグリッドの詳細図
【図３】図１に示す放射線画像撮影システムにおいて検出されるピンホール画像を示す図
【図４】角度位置検出部材のその他の実施形態を示す図
【図５】図４に示す角度位置検出部材を用いた場合に検出される遮蔽部画像を示す図
【符号の説明】
９　　被写体
１０　　放射線源
２０　　放射線画像検出器
３０　　グリッド
３１　　ピンホール
４０　　角度位置算出手段
５０　　角度調整手段
６０　　移動手段
７０　　表示手段
８０　　遮蔽部
【図１】
2004135748.tif 000003
【図２】
2004135748.tif 000004
【図３】
2004135748.tif 000005
【図４】
2004135748.tif 000006
【図５】
2004135748.tif 000007